(57)【要約】【課題】送風手段を装置風下側に配置した水噴霧を利用した加湿装置では、スプレーノズルにより噴霧された水が空気と混合して生成される高湿度状態の加湿空気が送風手段を通過する際、熱を受け取るため相対湿度を低下させる。このため相対湿度を上昇させるために吸込み空気温度の加熱、または貯水槽の中の水温を上昇させる等の対策が必要となる。【解決手段】風を送風する送風手段１と水を循環するポンプと水を噴霧するスプレーノズル８と水を蓄える貯水槽６と水滴を除去する気水分離手段９を備え、スプレーノズル８から噴霧する水が空気と混合し、水滴除去された後、吹出口１０から外部に吹出すように構成する。また、送風手段１およびポンプ７はスプレーノズル８の風路４風上側に配置し、吸込み空気が送風手段１のモータ２とポンプ７の外皮に接触する構造として、空気を加熱することが可能であり、高い相対湿度かつ絶対湿度を増加させた加湿空気が得られる。【選択図】図１
2009063279.tif 000002
【特許請求の範囲】
【請求項１】
風を送風する送風手段と水を循環するポンプと水を噴霧するスプレーノズルと水を蓄える貯水槽と水滴を除去する気水分離手段を備え、前記ポンプから排出された水が配管内を通り、複数個の前記スプレーノズルから前記送風手段の風路内に噴霧され、前記送風手段から吹き出された空気と混合されて高湿度状態となった空気が気水分離手段を通過した後、吹出口から装置外部に吹き出される水噴霧加湿装置において、前記送風手段および前記ポンプは前記スプレーノズルの風路風上側に配置され、前記送風手段の吸い込む空気が前記送風手段のモータと前記ポンプの外皮に接触する構造としたことを特徴とする水噴霧加湿装置。
【請求項２】
前記送風手段の風下側に前記ポンプを配置し、吹き出し口からの空気を前記ポンプの外皮に直接当てる構造としたことを特徴とする請求項１記載の水噴霧加湿装置。
【請求項３】
前記送風手段のモータおよび前記ポンプの外皮に複数枚の放熱板を備えたことを特徴とする請求項１または２記載の水噴霧加湿装置。
【請求項４】
前記貯水槽の下部に接触するようにして前記ポンプを配置し、ポンプの発熱を上部の貯水槽に伝熱させる構造としたことを特徴とする請求項１記載の水噴霧加湿装置。
【請求項５】
ポンプと接触する部分以外の貯水槽外面に断熱手段を施したことを特徴とする請求項４記載の水噴霧加湿装置。
【請求項６】
前記送風手段および前記ポンプの質量のある部品を水噴霧加湿装置の下部に配置したことを特徴とする請求項１〜５いずれかに記載の水噴霧加湿装置。
【請求項７】
前記スプレーノズルと前記送風手段の風路間に送風を遮断するダンパー手段を設け、風路内空気の逆流を防止する構造としたことを特徴とする請求項１〜６いずれかに記載の水噴霧加湿装置。
【請求項８】
前記送風手段の運転状態を入力して、その運転状態により前記ダンパー手段を自動で開閉させ、風路内空気の逆流を防止する制御手段を設けたことを特徴とする請求項７記載の水噴霧加湿装置。
【請求項９】
前記送風手段の風圧により前記ダンパー手段の開閉が可能な構造とし、前記送風手段が運転を停止している場合は、ダンパー手段を閉状態として風路内空気の逆流を防止可能な構造としたことを特徴とする請求項７記載の水噴霧加湿装置。
【請求項１０】
前記ダンパー手段を前記送風手段の風路の一部として利用することを特徴とする請求項７〜９いずれかに記載の水噴霧加湿装置。
【発明の詳細な説明】
【技術分野】
【０００１】
本発明は、印刷工場等で使用される水噴霧を利用した加湿装置において、加湿能力を高める内部構造および送風手段の風路内に備えられたダンパー手段に関するものである。
【背景技術】
【０００２】
従来、この種の水噴霧加湿装置は、加湿された空気を吹き出す送風手段を風路の最も風下側である水噴霧加湿装置の上部に配置された構造がよく知られている（例えば、特許文献１参照）。
【０００３】
以下、その構造について図６を参照しながら説明する。
【０００４】
図に示すように、風を送風する送風手段１０１と水を循環するポンプ１０２と水を噴霧するスプレーノズル１０３と水を蓄える貯水槽１０４と水滴を除去する気水分離手段１０５を備えて構成される。ポンプ１０２から排出された水が配管内を通り、スプレーノズル１０３から送風手段１０１の風路内に噴霧され、水噴霧加湿装置の下部から吸い込まれ風路内を通過する空気と混合されて高湿度状態となり、気水分離手段１０５で水滴除去された後、水噴霧加湿装置の上部に配置された送風手段１０１により外部に吹き出す構造としたものである。
【特許文献１】特開２００４−５３２３８号公報
【発明の開示】
【発明が解決しようとする課題】
【０００５】
このような従来の水噴霧加湿装置では、送風手段が風下側に配置されているため、スプレーノズルにより噴霧された水が空気と混合することで生成された高湿度状態の加湿空気が送風手段を通過する際に送風手段で発生する熱を受け取るため、相対湿度を低下させる。また絶対湿度を増加させるためには吸い込み空気温度の加熱、または貯水槽の中の水温を上昇させることが必要といった課題があり、相対湿度、絶対湿度ともに能力低下の抑制および能力向上が要求されている。また、質量の大きい送風手段を水噴霧加湿装置の上部に配置するため、重心位置が高くなり地震などの衝撃を受けた場合に転倒し易くなるという課題があり、重心位置を低くすることが要求されている。
【０００６】
本発明は、このような従来の課題を解決するものであり、高い相対湿度かつ絶対湿度を増加させた加湿空気を提供することができ、また、質量の大きい送風手段を下部に配置することにより転倒しにくく、またメンテナンス性の向上も図ることのできる水噴霧加湿装置を提供することを目的としている。
【課題を解決するための手段】
【０００７】
本発明の水噴霧加湿装置は上記目的を達成するために、風を送風する送風手段と水を循環するポンプと水を噴霧するスプレーノズルと水を蓄える貯水槽と水滴を除去する気水分離手段を備え、前記ポンプから排出された水が配管内を通り、複数個の前記スプレーノズルから前記送風手段の風路内に噴霧され、前記送風手段から吹き出された空気と混合されて高湿度状態となった空気が気水分離手段を通過した後、吹出口から装置外部に吹き出される構造で、前記送風手段および前記ポンプは前記スプレーノズルの風路風上側に配置され、前記送風手段の吸い込む空気が前記送風手段のモータと前記ポンプの外皮に接触する構造としたことを特徴としたものである。
【０００８】
この手段により吸い込み空気を発熱機器の熱で加熱することで、簡便に高い相対湿度かつ絶対湿度を増加させた加湿空気を提供することができる水噴霧加湿装置が得られる。
【０００９】
また他の手段は、送風手段の風下側にポンプを配置し、吹き出し口からの空気を前記ポンプの外皮に直接当てる構造としたことを特徴としたものである。
【００１０】
これにより前記送風手段からの吹き出し風を直接前記ポンプの外皮に当て、積極的に吸い込み空気を加熱することで、高い相対湿度かつ絶対湿度を増加させた加湿空気を提供することができる水噴霧加湿装置が得られる。
【００１１】
また他の手段は、送風手段のモータおよび前記ポンプの外皮に複数枚の放熱板を備え、前記送風手段が吸い込む空気との熱交換を積極的に促進する構造としたことを特徴としたものである。
【００１２】
これにより前記送風手段のモータおよび前記ポンプの外皮表面積が増加するため、吸い込み空気との接触面積が増加し、吸い込み空気の加熱が容易となることで、高い相対湿度かつ絶対湿度を増加させた加湿空気を提供することができる水噴霧加湿装置が得られる。
【００１３】
また他の手段は、貯水槽の下部に接触するようにしてポンプを配置し、ポンプの発熱を上部の貯水槽に伝熱させる構造としたことを特徴としたものである。
【００１４】
これにより前記ポンプからの発熱を前記貯水槽に直接伝熱し、前記貯水槽の中の水を加熱することで、高い相対湿度かつ絶対湿度を増加させた加湿空気を提供することができる水噴霧加湿装置が得られる。
【００１５】
また他の手段は、貯水槽の下部に接触するようにしてポンプを配置し、ポンプの発熱を上部の貯水槽に伝熱させる構造において、ポンプと接触する部分以外の貯水槽外面に断熱手段を施したことを特徴としたものである。
【００１６】
これにより前記ポンプからの発熱で加熱された前記貯水槽および内部水温の放熱を抑制することで、高い相対湿度かつ絶対湿度を増加させた加湿空気を維持して提供することができる水噴霧加湿装置が得られる。
【００１７】
また他の手段は、送風手段およびポンプといった質量のある部品を水噴霧加湿装置の下部に配置し、装置重心を下げたことを特徴としたものである。
【００１８】
これにより質量の大きい送風手段を下部に配置することで、転倒しにくく、またメンテナンス性の向上した装置を提供することができる水噴霧加湿装置が得られる。
【００１９】
また他の手段は、スプレーノズルと送風手段の風路間に送風を遮断するダンパー手段を設け、風路内空気の逆流を防止する構造としたことを特徴としたものである。
【００２０】
これにより前記送風手段が停止した場合に、前記スプレーノズルから噴霧された水が風路の風上側に逆流することを防止することで、ファン内部およびモータへの水の浸入を抑制し、故障頻度の少ない水噴霧加湿装置が得られる。
【００２１】
また他の手段は、送風手段の運転状態を入力して、運転状態によりダンパー手段を自動で開閉させ、風路内空気の逆流を防止する構造としたことを特徴としたものである。
【００２２】
これにより前記送風手段が任意の運転状態において前記ダンパー手段の操作が可能となり、前記スプレーノズルから噴霧された水が風路の風上側に逆流することをより精度良く防止することが可能であり、ファン内部およびモータへの水の浸入を抑制し、故障頻度の少ない水噴霧加湿装置が得られる。
【００２３】
また他の手段は、送風手段の風圧により前記ダンパー手段の開閉が可能な構造とし、前記送風手段が運転を停止している場合は、ダンパー手段を閉状態として風路内空気の逆流を防止可能な構造としたことを特徴としたものである。
【００２４】
これにより前記送風手段が動作している場合は風圧により前記ダンパー手段が開状態となり、また停止した場合は風圧が減少するため閉状態となることで、前記ダンパー手段を操作させるための動力が不要となり、かつ前記スプレーノズルから噴霧された水が風路の風上側に逆流すること防止することが可能であり、ファン内部およびモータへの水の浸入を抑制し、故障頻度の少ない水噴霧加湿装置が得られる。
【００２５】
また他の手段は、スプレーノズルと送風手段の風路間に送風を遮断するダンパー手段を設け、風路内空気の逆流を防止する構造において、前記ダンパー手段を前記送風手段の風路の一部として利用することを特徴としたものである。
【００２６】
これにより前記ダンパー手段を風路の一部として使用可能であり、また風路を簡略化することも可能となり、装置の質量を低減できる水噴霧加湿装置が得られる。
【発明の効果】
【００２７】
本発明によれば、送風手段およびポンプをスプレーノズルの風下側に配置することで、スプレーノズルで生成された高湿度状態の加湿空気が送風手段を通過する際の熱の受け取りによる相対湿度の低下が抑制でき、加湿能力の向上という効果のある水噴霧加湿装置を提供できる。
【００２８】
また、送風手段およびポンプなどの質量が大きい部品を下部に配置することで、重心が低く、地震などの振動に強いという効果のある水噴霧加湿装置を提供できる。
【００２９】
また、送風手段をスプレーノズルの風上側に配置したことで課題となる水滴および加湿空気の逆流については、ダンパー手段を設けることで風上側への逆流を防止する効果のある水噴霧加湿装置を提供できる。
【発明を実施するための最良の形態】
【００３０】
本発明は、風を送風する送風手段と水を循環するポンプと水を噴霧するスプレーノズルと水を蓄える貯水槽と水滴を除去する気水分離手段を備え、前記ポンプから排出された水が配管内を通り、複数個の前記スプレーノズルから前記送風手段の風路内に噴霧され、前記送風手段から吹き出された空気と混合されて高湿度状態となった空気が気水分離手段を通過した後、吹出口から装置外部に吹き出される構造で、前記送風手段および前記ポンプは前記スプレーノズルの風路風上側に配置され、前記送風手段の吸い込む空気が前記送風手段のモータと前記ポンプの外皮に接触する構造としたものであり、吸い込み空気を加熱することで、高い相対湿度かつ絶対湿度を増加させた加湿空気を提供することが可能という作用を有する。
【００３１】
また、前記送風手段の風下側に前記ポンプを配置し、吹き出し口からの空気を前記ポンプの外皮に直接当てる構造としたものであり、吸い込み空気の加熱を積極的に推進させることで、高い相対湿度かつ絶対湿度を増加させた加湿空気を提供することができる。
【００３２】
また、前記送風手段のモータおよび前記ポンプの外皮に複数枚の放熱板を備え、前記送風手段が吸い込む空気との熱交換を積極的に促進する構造としたものであり、前記送風手段のモータおよび前記ポンプの外皮表面積が増加するため、吸い込み空気との接触面積が増加し、吸い込み空気の加熱が容易となることで、高い相対湿度かつ絶対湿度を増加させた加湿空気の提供が可能になるという作用を有する。
【００３３】
また、前記貯水槽の下部に接触するようにして前記ポンプを配置し、ポンプの発熱を上部の前記貯水槽に伝熱させる構造、および前記貯水槽と前記ポンプが接触する部分以外の貯水槽外面に断熱手段を施したものであり、前記ポンプからの発熱を前記貯水槽に直接伝熱し、前記貯水槽の中の水を加熱可能であり、また断熱手段により前記貯水槽および内部の水の放熱を抑制することで、高い相対湿度かつ絶対湿度を増加させた加湿空気を維持して提供が可能であるという作用を有する。
【００３４】
また、前記送風手段および前記ポンプの質量のある部品を水噴霧加湿装置の下部に配置し、装置重心を下げたものであり、質量の大きい送風手段を下部に配置することで、転倒しにくく、またメンテナンス性を向上させた装置の提供が可能という作用を有する。
【００３５】
また、前記スプレーノズルと前記送風手段の風路間に送風を遮断するダンパー手段を設け、制御手段または前記送風手段の風圧等により自動開閉を行ない風路内空気の逆流を防止する構造としたものであり、前記送風手段が停止した場合に、前記スプレーノズルから噴霧された水が風路の風上側に逆流することを防止して、ファン内部およびモータへの水の浸入を抑制することが可能という作用を有する。
【００３６】
また、前記スプレーノズルと前記送風手段の風路間に送風を遮断させ、風路内空気の逆流を防止するための前記ダンパー手段において、前記ダンパー手段を前記送風手段の風路の一部として利用する構成としたものであり、風路簡略化および風路構成部材点数の削減が行えるために質量低減が可能という作用を有する。
【００３７】
以下、本発明の実施例について図面を参照しながら説明する。
【実施例】
【００３８】
以下、本発明の水噴霧を利用した加湿装置の一実施例を図面に基づいて説明する。
【００３９】
図１は本発明の一実施例による水噴霧加湿装置の内部構造を示す同水噴霧加湿装置の断面図、図２は本発明第二の実施例の水噴霧加湿装置の送風手段およびポンプを下部に配置した同水噴霧加湿装置の断面図、図３は本発明第三の実施例の水噴霧加湿装置の貯水槽に断熱手段を付加した同水噴霧加湿装置の断面図、図４は本発明第四の実施例の水噴霧加湿装置にダンパー手段を付加した同水噴霧加湿装置の断面図、図５は本発明第五の実施例の水噴霧加湿装置の風路にダンパー手段を付加した同水噴霧加湿装置の断面図である。
【００４０】
（実施例１）
図１に示すように、水噴霧加湿装置の全体構成は、装置下部に配置された風を送風する送風手段１として遠心送風機を用い、送風手段１のケーシング側版に遠心羽根車を回転駆動させるためのモータ２が支持金具（図示せず）で固定されている。空気は装置の下部に配置された吸込口３から送風手段１によって吸い込まれ、風下側に接続された風路４を通って、噴霧エリア５に吹き出される構造となっている。また、貯水槽６は水道その他の供給手段から水が給水されて蓄えられる構造となっており、この水は貯水槽６とポンプ７の間を接続された配管によって汲み上げられ、ポンプ７の排出側は噴霧エリア５内にある複数個のスプレーノズル８まで配管で接続されており、汲み上げられた水は噴霧エリア５内のスプレーノズル８から噴霧される。この噴霧エリア５内で送風手段１から吹き出された空気とスプレーノズル８から噴霧された水が混合され、高湿度の加湿空気となるようにしている。さらに加湿空気は噴霧エリア５の風下側に配置された気水分離手段９により、水滴の除去を行った加湿空気として装置の吹出口１０から外部に吹き出される。なお、噴霧エリア５で噴霧された水は全てが加湿空気として利用されないため、気水分離手段９により加湿空気と分離された水滴とともに装置内部を伝って貯水槽６に戻る構造としている。
【００４１】
また、貯水槽６、噴霧エリア５、送風手段１およびポンプ７のメンテナンスを実施するための各点検パネルが装置の前面に配置される構造となっている。
【００４２】
装置の運転については内部に設けられた運転スイッチにより、送風手段１、ポンプ７等が駆動するように制御される。
【００４３】
上記構成によれば、吸込口３から吹き込んだ空気は、ポンプ７、モータ２の発熱を吸収して温度が上昇する。空気の温度が上昇するため、噴霧エリア５で噴霧された水が加湿空気となりやすいという効果がある。
【００４４】
（実施例２）
以下、本発明の水噴霧加湿装置の他の実施例を図面に基づいて説明する。なお、上記実施例と同一機能を有する構成には同一符号を付して説明を省略する。また下記の実施例で図示しないその他の構成については上記実施例と同様の構成をしている。
【００４５】
図２に示すように、送風手段１およびポンプ７を装置の下部に配置し、さらに送風手段１はポンプ７の風上側に配置するようにしている。それにより、送風手段１からの吹き出し空気をポンプ７の外皮に直接当てることで、積極的に吸い込み空気を加熱させて高い相対湿度かつ絶対湿度を増加させた加湿空気ができるようにしている。なお、送風手段１に取付けられたモータ２およびポンプ７の外皮に複数枚の放熱板１１を取付けてもよく、外皮面積が大きくなることで放熱面積が増加し、送風手段１が吸い込む空気との熱交換が積極的に促進するため、さらにその作用効果は向上する。
【００４６】
（実施例３）
図３に示すように、ポンプ７の外皮に取付けた複数枚の放熱板１１としてアルミニウム製フィンを用い、放熱板１１が貯水槽６に接触するように配置している。ポンプ７の発熱が貯水槽６に直接伝熱して水を加熱することで、高い相対湿度かつ絶対湿度を増加させた加湿空気ができるようにしている。なお、貯水槽６の外側面の全面に断熱手段１２としてグラスウールを貼り付けることで、ポンプ７で加熱した貯水槽６内の放熱による水温低下を防止することで、さらにその作用効果を持続させる。なお、放熱板１１の材質はアルミニウム製以外のものでもよく、熱伝導率が高い材質を使用すればその作用効果は向上する。
【００４７】
（実施例４）
図４に示すように、スプレーノズル８と送風手段１の間にある風路４に送風を遮断する鋼板製のダンパー手段１３を配置する。ダンパー手段１３はダンパー制御盤１４または送風手段１の吹き出し風圧等により風路４を自動開閉できるようにしている。送風手段１が停止した場合に、スプレーノズル８から噴霧された水が風上側に配置されている送風手段１等に逆流することを防止して、送風手段１の内部およびモータ２への水の浸入を抑制することが可能という作用効果を有する。なお、ダンパー手段１３の材質は他のものでもよく、樹脂等の軽量材質で製作することで、小型の送風手段１を使用する際など風圧が低い状態においてもダンパー手段１３の自動開閉が可能となり、使用範囲が広がるという効果もある。
【００４８】
（実施例５）
図５に示すように、スプレーノズル８と送風手段１の間にある風路４に送風を遮断する鋼板製のダンパー手段１３を配置し、このダンパー手段１３が送風手段１から吹き出された空気を誘導する風路４の一部として機能させることにより、装置自体の風路４の構造を簡素化することが可能で、構成部材点数の削減が行えるため質量の低減が図れるという効果がある。なお、実施例４に記載した内容と同様にダンパー手段１３の材質は他のものでもよい。
【産業上の利用可能性】
【００４９】
本発明は、加湿に利用する装置として噴霧する流体を水、送風手段から吹き出される流体を空気としたが、水および空気以外の流体を利用するものにも適用できる。
【図面の簡単な説明】
【００５０】
【図１】本発明の実施例１の水噴霧加湿装置の内部構造を示す同水噴霧加湿装置の断面図
【図２】本発明の実施例２の水噴霧加湿装置の送風手段およびポンプを下部に配置した同水噴霧加湿装置の断面図
【図３】本発明の実施例３の水噴霧加湿装置の貯水槽に断熱手段を付加した同水噴霧加湿装置の断面図
【図４】本発明の実施例４の水噴霧加湿装置にダンパー手段を付加した同水噴霧加湿装置の断面図
【図５】本発明の実施例５の水噴霧加湿装置の風路にダンパー手段を付加した同水噴霧加湿装置の断面図
【図６】従来の水噴霧加湿装置の内部構造を示す同水噴霧加湿装置の断面図
【符号の説明】
【００５１】
１    送風手段
２    モータ
３    吸込口
４    風路
５    噴霧エリア
６    貯水槽
７    ポンプ
８    スプレーノズル
９    気水分離手段
１０  吹出口
１１  放熱板
１２  断熱手段
１３  ダンパー手段
１４  ダンパー制御盤
【図１】
2009063279.tif 000003
【図２】
2009063279.tif 000004
【図３】
2009063279.tif 000005
【図４】
2009063279.tif 000006
【図５】
2009063279.tif 000007
【図６】
2009063279.tif 000008